(57)【要約】【課題】水槽に用いる底砂の汚れ除去は、ポリバケツに底砂と水を入れ直接手で擦り付けと水切りを繰り返し行っているが、時間が掛かる上、冬場は水が冷たい等の問題があった。本発明は、以上のような問題を解決するために提供するものである。【解決手段】撹拌器は、撹拌軸の上部に、両手で正逆転操作するための取っ手を備え、下部に、ポリバケツの底砂を掻き混ぜるパドルを備え、水切り板は、底砂が通過しない大きさの孔を有し、留め具にてポリバケツに固定する。以上の構成よりなる、らくらく底砂洗い器。【選択図】図１
2016144437.tif 000002
【特許請求の範囲】
【請求項１】
撹拌軸（ａ）に取手（ｂ）及びパドル（ｃ、ｄ）を設けた手動反転式の撹拌器（１）。
【請求項２】
市販のポリバケツに留め具（ｇ）にて簡単に着脱できる水切り板（２）。
【請求項３】
市販のポリバケツの淵に差し込んで使用する水切り板（３）。
【発明の詳細な説明】
【技術分野】
【０００１】本発明は、観賞魚用水槽に用いられる底砂（以下「砂」と称す。）の汚れを簡単に早く除去するための「らくらく砂洗い器」に関するものである。
【背景技術】
【０００２】従来、水槽の砂の汚れ除去は、先ずバケツに砂を移し、米を研ぐ要領でバケツに水を入れて直接手による擦り付けを行った後水切りを行う等、水がきれいになるまで一連の作業を繰り返し行う必要があることから、時間が掛かる上、特に冬場にあっては冷たい等の問題があった。
【発明の概要】
【発明が解決しようとする課題】
【０００３】従来、水槽の砂の汚れ除去はバケツに砂を移した後、直接手による擦り付けや水切り等一連の作業を行っているが、時間が掛かる上、特に冬場では水が大変冷たい等の問題があった。
本発明は、以上のような問題を解決するため提供するものである。
【課題を解決するための手段】
【０００４】以下の要素で構成される撹拌器（１）を用いて手動にて反転操作を行うことにより砂同士を擦り付けて汚れを除去する。
撹拌軸（ａ）の上部に両手で反転操作するための取手（ｂ）を設け、当該撹拌軸（ａ）の下部に砂を効率良く掻き混ぜるための上段パドル（ｃ）及び下段パドル（ｄ）を設ける。【０００５】以下の要素で構成される水切り板（２）を用いて水洗後の水を切る。
水切り口に砂の流出を防止するネット（ｆ）又は小径孔を設けた堰板（ｅ）に市販のポリバケツの淵へ簡単に着脱可能な留め具（ｇ）及び外れ防止用のストッパー（ｈ）を設ける。【０００６】水切り板（２）の堰板と留め具を一体化したもので、市販のポリバケツの淵へ差し込んで固定する水切り板（３）を用いて水洗後の水切りを行う。水切り板（３）には外れ防止対策として円弧頂部の折り返し部（裏側）に突起等を設けると共に水切り口に砂の流出を防止するための小径孔等を設ける。
【発明の効果】
【０００７】冬場の寒い時期に於いても直接冷たい水に手を触れることなく簡単に水槽の砂の汚れ除去が可能となり作業が大幅に改善される。
【図面の簡単な説明】
【０００８】
【図１】本発明の撹拌器及（１）び水切り板（２）を市販のポリバケツに組み込んだ状態を示す斜傾図である。
【図２】本発明の「攪拌器（１）」の組立図である。
【図３】図２攪拌器（１）のＡ−Ａ断面図である。
【図４】本発明の「水切り板（２）」の組立図である。
【図５】本発明の「水切り板（３）」の斜傾図である。
【発明を実施するための形態】
【０００９】以下、本発明を実施するための形態について説明する。
尚、ここでは市販のポリバケツに本発明の「撹拌器（１）」及び「水切り板（２）」又は「水切り板（３）」を取り付けて用いることを基本仕様としている。
（イ）攪拌器（１）は撹拌軸（ａ）の上部に両手で反転操作するための取手（ｂ）を設け      、下部に砂同士を効率良く擦り合わせるための上下２段のパドル（ｃ及びｄ）を設      ける。パドル（ｃ及びｄ）は夫々４枚で構成され、形状は、砂の粒径等に応じて選      択される。
（ロ）水切り板（２）はポリバケツの淵に簡単に着脱できる構造とし、ポリバケツを傾け      て水切りする箇所には砂の流出を防止するネット（ｆ）又は小径孔を設ける。又、      水切り板（２）の固定方法は、ポリバケツの淵を挟み込むように留め具（ｇ）を左      右２箇所設け、更に、水切りの際に当該水切り板（２）が外れないようバケツの内      側を押さえるべくストッパー（ｈ）を左右２箇所設ける。
（ハ）水切り板（３）は堰板と留め具を一体化したもので、ポリバケツの横から淵に沿っ      て差し込み、水切り板（３）の円弧に沿って設けた折り返し部にてポリバケツの淵      に固定する。又、ポリバケツを傾けた際の外れ防止対策として円弧頂部の折り返し      部（裏側）に突起等を設けると共に水切りする箇所には砂の流出を防止するための      小径孔等を設ける。
【符号の説明】
【０００１０】１  撹拌器
２  水切り板
ａ  撹拌軸
ｂ  取手
ｃ  上段パドル
ｄ  下段パドル
ｅ  堰板
ｆ  砂流出防止ネット
ｇ  留め具
ｈ  ストッパー
３  水切り板（堰板と留め具の一体型）
【図１】
2016144437.tif 000003
【図２】
2016144437.tif 000004
【図３】
2016144437.tif 000005
【図４】
2016144437.tif 000006
【図５】
2016144437.tif 000007
【手続補正書】
【提出日】平成27年12月15日(2015.12.15)
【手続補正１】
【補正対象書類名】明細書
【補正対象項目名】全文
【補正方法】変更
【補正の内容】
【発明の詳細な説明】
【技術分野】
【０００１】本発明は、観賞魚用水槽に用いる底砂の汚れを除去する、らくらく底砂洗い器に関するものである。
【背景技術】
【０００２】従来、水槽の底砂の汚れ除去は、ポリバケツに底砂と水を入れ、米を研ぐ要領にて手による擦り付けと水切りを繰り返し行っていた。
【発明の概要】
【発明が解決しようとする課題】
【０００３】ポリバケツに底砂と水を入れ、直接手による擦り付け及び水切り等の繰り返し作業では時間が掛かる上、特に冬場では水が大変冷たい等の問題があった。
本発明は、以上のような問題を解決するものである。
【課題を解決するための手段】
【０００４】撹拌器は、撹拌軸の上部に、両手で正逆転操作するための取っ手を備え、下部に、ポリバケツの底砂を掻き混ぜるパドルを備え、水切り板は、底砂が通過しない大きさの孔を有し、留め具にてポリバケツに固定する。以上の構成よりなる、らくらく底砂洗い器。
【発明の効果】
【０００５】冬場の寒い時期に於いても、直接冷たい水に手を触れることなく簡単に底砂の汚れ除去が可能となる。
【図面の簡単な説明】
【０００６】
【図１】本発明の使用状態を示す斜視図
【図２】本発明の撹拌器側面図
【図３】本発明の水切り板の平面図
【発明を実施するための形態】
【０００７】以下、本発明を実施するための形態について説明する。
（イ）図２に示すように、撹拌器（１）は、撹拌軸（３）の上部に、両手で正逆転操作するための両端を球面加工した取っ手（４）を備え、下部に底砂同士を擦り合わせるための上段パドル（５）及び下段パドル（６）を、撹拌軸（３）から放射状に夫々４枚取り付ける。
本実施例では、パドルは四角形状の板を用い、夫々９０度の位置にて撹拌軸（３）に取り付ける。又、上段パドル（５）と下段パドル（６）は概ねパドルの高さ分の間隔を設け、下段パドルを４５度ずらして固定すると共に、ポリバケツ（１１）の側面に対して隙間を設ける。
（ロ）図３に示すように、水切り板（２）は半月形状に成形した下方の水切り部に、底砂が通過しない大きさの孔を有し、円弧上に、ポリバケツ（１１）の淵へ着脱できるよう、留め具（７）を２箇所設ける。留め具（７）は、コの字形をした部材の先端に支点（８）を設け、ポリバケツ（１１）の淵と水切り板（２）を挟んで固定する。この時、水切り板（２）がずれないよう、ポリバケツ（１１）の内面に沿ってストッパー（１０）を左右２箇所に設ける。
本発明は、以上のような構成である。
【０００８】本発明を使用するときは、取扱い易い容量の広口ポリバケツを用い、以下に示す手順にて行う。
（イ）ポリバケツ（１１）に撹拌器（１）を入れる。
（ロ）底砂を上段パドル（５）が隠れる程度に入れる。
（ハ）水切り板（２）をポリバケツ（１１）の淵に沿って、ずれ防止用のストッパー（１０）が当たるまで押し込む。
（ニ）２箇所の留め具（７）にて、水切り板（２）とポリバケツ（１１）の淵を挟んで固定する。
（ホ）ポリバケツ（１１）に八分目程度まで水を入れる。
（ヘ）撹拌器（１）の取っ手（４）を両手で持ち、底砂同士が良く擦れ合うように、正逆転操作を素早く５回程度繰り返す。
（ト）撹拌器（１）を残したまま、水切り板（２）の方向へポリバケツ（１１）を傾けて水切りを行う。
（チ）以上の動作を５回程度繰り返して、底砂の汚れ除去を完了する。
（リ）撹拌器（１）は、最終回の水切り前に正逆回転させながら取り出す。
尚、撹拌器（１）を、底砂の入ったポリバケツ（１１）に差し込む場合は、水をポリバケツ（１１）に八分目程度入れ、撹拌器（１）を正逆転させながら行う。
【符号の説明】
【０００９】１  撹拌器、２  水切り板、３  撹拌軸、４  取っ手、５  上段パドル、６  下段パドル、７  留め具、８  支点、９  孔、１０  ストッパー、１１  ポリバケツ
【手続補正２】
【補正対象書類名】特許請求の範囲
【補正対象項目名】全文
【補正方法】変更
【補正の内容】
【特許請求の範囲】
【請求項１】
撹拌器は、撹拌軸の上部に、両手で正逆転操作するための取っ手を備え、下部にポリバケツの底砂を掻き混ぜるためのパドル複数枚を上下２段備え、水切り板は、底砂が通過しない大きさの孔を有し、留め具にてポリバケツに着脱できる、らくらく底砂洗い器。
【手続補正４】
【補正対象書類名】図面
【補正対象項目名】全図
【補正方法】変更
【補正の内容】
【図１】
2016144437.tif 000008
【図２】
2016144437.tif 000009
【図３】
2016144437.tif 000010